(57)【要約】【課題】吸込口の直近にフィルタを配置し、既存の空気調和装置をそのまま利用して浄化性能を高めることを可能とし、取付作業及びメンテナンス作業を簡易にすることが可能なフィルタ取付具の提供を課題とするものである。【解決手段】フィルタ取付具１は、既存の空気調和装置の室内ユニットのユニットパネルに取付けられ、室内空気に含まれる汚染物質を吸着して除去するためのフィルタ２を枠内に保持するフィルタ内枠部８と、フィルタ内枠部８と連結する４本の連結ステー３と、連結ステー３とそれぞれ接続され、フィルタ内枠部８をスペーサを介してユニットパネル７に固定する四つのフィルタ外枠部４とを主に具備する。フィルタ外枠部４は、ユニットパネルのパネル角部に沿ってほぼ９０°曲折された曲片状の外枠基部１９と、外枠基部１９の基部辺縁１９ａから曲折され、天井との隙間に挿込まれる挿設片２２を有している。【選択図】図１
2011058647.tif 000002
【特許請求の範囲】
【請求項１】
四角枠形状のフレームのフレーム枠内にフィルタを保持し、天井に設置された空気調和装置のユニットパネルに設けられた吸込口に相対して前記フィルタを配設するフィルタ内枠部と、
前記フィルタ内枠部のそれぞれの内枠角部にステー先端部が連結され、前記フィルタ内枠部の対角方向に沿って延設された連結ステーと、
前記連結ステーのステー他端部と接続され、前記ユニットパネルのパネル角部の形状に沿って曲折された外枠基部、及び前記外枠基部の基部辺縁から前記フィルタ内枠部側に向かって曲折され、前記ユニットパネルの前記パネル角部と前記天井との間の隙間に挿込まれる挿設片を有し、前記連結ステーを介して接続された前記フィルタ内枠部の前記フレーム内の前記フレームを前記ユニットパネルの前記吸込口に密接させるフィルタ外枠部と
を具備することを特徴とするフィルタ取付具。
【請求項２】
前記連結ステーは、
長片板状部材によって形成され、
前記フィルタ内枠部と連結されたステー先端部及び前記外枠基部と接続された前記ステー他端部でそれぞれのステー面が互いに直交するように捻られた捻り補強部をさらに具備することを特徴とする請求項１に記載のフィルタ取付具。
【請求項３】
前記連結ステーと前記フィルタ内枠部及び前記フィルタ外枠部の少なくとも一方との間に介設され、
前記フィルタ内枠部及び前記フィルタ外枠部の水平方向の相対的位置関係を調整する水平位置調整手段をさらに具備することを特徴とする請求項１または請求項２に記載のフィルタ取付具。
【請求項４】
前記連結ステーと前記フィルタ内枠部及び前記フィルタ外枠部の少なくとも一方との間に介設され、
前記フィルタ内枠部及び前記フィルタ外枠部の鉛直高さ方向の相対的位置関係を調整する高さ位置調整手段をさらに具備することを特徴とする請求項１乃至請求項３のいずれか一つに記載のフィルタ取付具。
【請求項５】
前記フィルタ内枠部の内枠上表面に取設され、前記吸込口の周囲の前記ユニットパネルの吸込口周面と前記フィルタ内枠部との間を埋めるスペーサをさらに具備することを特徴とする請求項１乃至請求項４のいずれか一つに記載のフィルタ取付具。
【発明の詳細な説明】
【技術分野】
【０００１】
本発明は、フィルタ取付具に関するものであり、特に、飲食店等の店舗や工場施設等の天井裏に設置された空気調和装置の室内ユニットのユニットパネルに開口した吸込口の直近に浄化性能の優れた外付用フィルタを取付支持するためのフィルタ取付具に関するものである。
【背景技術】
【０００２】
従来から、各種店舗、企業のオフィス、或いは工場施設等において、室内温度を一定に調整するための空気調和装置（所謂「エアコン（エアコンディショナ）」が数多く設置され、来店した客等に対して快適な室内環境を提供している。ここで、空気調和装置は、外気及び室内空気を取込み、熱交換処理によって温度調整された冷気（または暖気）を室内に供給するものであり、一般に熱交換処理後の高温の排熱（排気熱）を排出するために、主に室外に設置された室外ユニットと、室内空気を吸込むとともに、熱交換処理され、温度調整された冷気等を室内に送気するための室内ユニットとによって構成されている。ここで、特に業務用の室内ユニットの場合、広範囲の室内空間の空気調和を行うために、室内ユニットのサイズが比較的大型化する傾向があり、室内にそのまま設置することは、店舗等のスペースを無駄に占有することがあった。さらに、飲食店等の場合、室内ユニットが室内の雰囲気を損なう場合もあった。そこで、室内ユニットを店舗の天井裏に配された鉄骨等に吊下支持するように固定し、天井には室内ユニットの一部構成をなす吹出口及び吸込口が備えられたユニットパネルを設置することが行われる。これにより、室内ユニットによって無用なスペースの占有や室内雰囲気を壊す等の問題が解消される。
【０００３】
ここで、室内ユニットのユニットパネルは、主に正方形状を呈し、各パネル辺に沿うように四箇所の吹出口が設けられ、係る吹出口に囲まれた内側の中央部分に正方形状の吸込口が設けられていることが多い。このとき、吸込口の下流側（室内ユニット側）には、上記防塵部材で集塵できなかった細かい微粒子等を除去するためのエアフィルタが設置されている。これにより、室内ユニットの熱交換処理機構には、室内空気から夾雑物等が除去された浄化空気のみが導入されることになる。これにより、熱効率を良好なものとし、さらに夾雑物によって室内ユニットに不具合が生じることを防ぐことができる。
【発明の概要】
【発明が解決しようとする課題】
【０００４】
ここで、室内ユニットに採用されるエアフィルタは、通常の店舗やオフィス等において使用する場合には、十分な浄化能力を有している。しかしながら、飲食店、特に、焼肉店やお好み焼き店のように個々の客席にロースターや鉄板等の調理設備を有する店舗の場合、又は中華料理等の油を多く含む料理を提供する店舗の厨房等では、室内空気に大量の油（油煙）等の不純物が混在していることがある。さらに、工場施設では、生産工程で排出される油煙や粉塵等を室内空気が多く含んでいる場合がある。そのため、室内空気の汚染度合いが通常に比べて著しく高くなることがあった。係る汚染度の高い室内空気（汚染空気）を、上述の一般的な室内ユニットに採用されたエアフィルタで除去しようすると、すぐにエアフィルタの処理能力の限界に達し、それ以上の浄化処理ができなくなることがあった。したがって、飲食店等では、内部のエアフィルタの清掃や交換作業を頻繁に行う必要があり、作業コストや作業性の点で問題となることがあった。
【０００５】
特に、室内ユニットのパネルユニットの裏側（天井裏）に設置されたエアフィルタの場合、パネルユニットを一端取り外す必要があり、交換作業が大掛かりなものとなることがあった。
【０００６】
一方、上記問題を解消するために、パネルユニットの吸込口に、片面に粘着材が塗布されたシート状の外付用のフィルタをパネルユニットに直接貼着するタイプのものも知られている。しかしながら、フィルタの固定に粘着テープ等の粘着材を使用しているため、油分が多い汚染空気の環境下では十分な接着性能を維持することができず、貼着後にすぐに粘着性を喪失し、フィルタが剥がれ落ちてしまう可能性があった。
【０００７】
そこで、本発明は、上記実情に鑑み、既存の空気調和装置の設備をそのまま利用し、吸込口の直近に外付用のフィルタを配して支持することが可能であって、フィルタの取付作業及びフィルタ自体の交換作業を簡易的に行うことが可能なフィルタ取付具の提供を課題とするものである。
【課題を解決するための手段】
【０００８】
上記の課題を解決するため、本発明のフィルタ取付具は、「四角枠形状のフレームのフレーム枠内にフィルタを保持し、天井に設置された空気調和装置のユニットパネルに設けられた吸込口に相対して前記フィルタを配設するフィルタ内枠部と、前記フィルタ内枠部のそれぞれの内枠角部にステー先端部が連結され、前記フィルタ内枠部の対角方向に沿って延設された連結ステーと、前記連結ステーのステー他端部と接続され、前記ユニットパネルのパネル角部の形状に沿って曲折された外枠基部、及び前記外枠基部の基部辺縁から前記フィルタ内枠部側に向かって曲折され、前記ユニットパネルの前記パネル角部と前記天井との間の隙間に挿込まれる挿設片を有し、前記連結ステーを介して接続された前記フィルタ内枠部の前記フレーム内の前記フレームを前記ユニットパネルの前記吸込口に密接させるフィルタ外枠部と」を具備するものから主に構成されている。
【０００９】
ここで、フィルタ内枠部のフレーム枠内に保持されるフィルタとしては、例えば、ワイヤメッシュ、金属多孔体、或いは不織布を積層することによって構成した不織布フィルタ等を使用することができる。また、フィルタを枠内に保持するフィルタ内枠部は、特に限定されないが、例えば、アルミニウムやステンレス等の金属製素材によって構成し、フィルタを吸込口に相対可能に支持可能なように十分な強度を有するものであれば構わない。
【００１０】
一方、連結ステーとは、フィルタ内枠部のそれぞれの角（内枠角部）とステー先端部が連結され、ステー他端部でフィルタ外枠部と接続されるものであり、フィルタ内枠部及びフィルタ外枠部の間を繋ぐ長手形状の部材である。このとき、フィルタ内枠部及びフィルタ外枠部には、上記連結ステーのステー先端部及びステー他端部と連結、接続されるための接続部がそれぞれ設けられている。
【００１１】
さらに、フィルタ外枠部とは、連結ステーのステー他端部と接続した外枠基部及び挿設片を有するものであり、挿設片を空気調和装置のユニットパネルと天井との間に挿込むことにより、連結ステーを介して接続されたフィルタ内枠部及びフィルタをユニットパネルの吸込口に相対するように支持することが可能なものである。なお、一般的な空気調和装置の場合、天井裏に設置された室内ユニットを固定する固定具（ボルト等）を緩めることにより、ユニットパネルと天井との間を任意に調整することができるようになっている。
【００１２】
したがって、本発明のフィルタ取付具によれば、ユニットパネルの四箇所のパネル角部と天井の間にフィルタ外枠部の挿設片を挿入する。このとき、フィルタ外枠部の外枠基部は、ユニットパネルの形状に沿って曲折（約９０°）されているため、ユニットパネルの外周部と外枠基部の基部内周部とが略一致した状態で挿設される。このとき、それぞれのフィルタ外枠部には、フィルタ内枠部の対角方向に沿って連結ステーが接続され、さらにステー先端部を介してフィルタ内枠部が取付けられている。ここで、正方形状のユニットパネルの場合、上記連結ステーは当該ユニットパネルの対角線上に沿って配設されることになる。これにより、ユニットパネルの吸込口に相対する位置にフィルタを支持することが可能となる。すなわち、四箇所の挿設片によってフィルタ取付具がユニットパネルから外れて落下することがないように支持されることになる。
【００１３】
ユニットパネルの吸込口の下方（上流側）にフィルタが設置されることにより、空気調和装置を稼働させた場合、室内空気（例えば、焼肉店等の油煙を含む汚染空気等）はフィルタ取付具によって取付けられたフィルタに到達し、当該フィルタの吸着機能によって油分等の不純物が除去され、浄化した浄化空気が吸込口に吸込まれることになる。なお、吸込口の上方（下流側）には従来の不織布等のエアフィルタが設置されているため、二段階の浄化処理により、空気調和装置の室内ユニット内に汚染された空気が導入されることがない。さらに、四本の連結ステーは、ユニットパネルの対角方向に沿って配設されているため、ユニットパネルに設けられた四箇所の吹出口と連結ステーとが交叉するおそれがない。そのため、吹出口から吹出される冷気等が阻害されることがない。
【００１４】
さらに、本発明のフィルタ取付具は、上記構成に加え、「前記連結ステーは、長片板状部材によって形成され、前記フィルタ内枠部と連結されたステー先端部及び前記外枠基部と接続された前記ステー他端部でそれぞれのステー面が互いに直交するように捻られた捻り補強部を」具備するものであっても構わない。
【００１５】
したがって、本発明のフィルタ取付具によれば、フィルタ内枠部及びフィルタ外枠部を連結する連結ステーがステー先端部及びステー他端部の間の中央部近傍で、ステー面が直交するように捻られた捻り補強部を備えている。ここで、連結ステーは、挿設片によって鉛直方向への落下が抑制されたフィルタ外枠部に接続され、フィルタ外枠部による支持をフィルタ内枠部に対して伝達するものである。そのため、連結ステーには、フィルタ内枠部及びフィルタの全重量が荷重として加わることになる。そのため、連結ステーは荷重に対して十分な強度を有する必要がある。そこで、本発明のフィルタ取付具のように、互いのステー面を直交するように９０°捻りを加えた捻り補強部を設けることにより、連結ステーによる強度をさらに高める（補強する）ことが可能となる。これにより、フィルタ内枠部及びフィルタから構成される連結ステーのステー先端部に取付可能重量をアップさせることができる。
【００１６】
さらに、本発明のフィルタ取付具は、上記構成に加え、「前記連結ステーと前記フィルタ内枠部及び前記フィルタ外枠部の少なくとも一方との間に介設され、前記フィルタ内枠部及び前記フィルタ外枠部の水平方向の相対的位置関係を調整する水平位置調整手段を」具備するものであっても構わない。
【００１７】
したがって、本発明のフィルタ取付具は、フィルタ内枠部及びフィルタ外枠部との間の水平方向の相対的位置関係を調整する水平位置調整手段を有している。ここで、水平位置調整手段とは、例えば、連結ステーのステー先端部及びフィルタ内枠部の接続片に複数のボルト孔をそれぞれ穿設し、互いのボルト孔を重ね合わせ、ボルトを挿込む位置を変化させることにより、フィルタ内枠部及びフィルタ外枠部の間の距離を調整することが可能となる。係る構成を有することにより、ユニットパネルに本発明のフィルタ取付具を取設する作業を容易にすることが可能となる。さらに、ユニットパネルのサイズが異なる場合であっても、上記調整手段によって対応することが可能となる。
【００１８】
さらに、本発明のフィルタ取付具は、上記構成に加え、「前記連結ステーと前記フィルタ内枠部及び前記フィルタ外枠部の少なくとも一方との間に介設され、前記フィルタ内枠部及び前記フィルタ外枠部の鉛直高さ方向の相対的位置関係を調整する高さ位置調整手段を」具備するものであっても構わない。
【００１９】
したがって、本発明のフィルタ取付具は、フィルタ内枠部及びフィルタ外枠部の鉛直高さ方向の相対的位置関係を調整する高さ位置調整手段を有している。ここで、ユニットパネルの吸込口の位置及びパネル筐体は、天井面と略一致することはほどんどなく、天井面から下方に向かって突設していることが一般的である。この突設の程度は、サイズや品番毎に相違するものである。そのため、本発明のフィルタの高さ位置調整手段を利用することにより、パネル角部に固定されたフィルタ外枠部に対し、フィルタ内枠部の鉛直高さ方向の相対的位置関係を調整することにより、ユニットパネルの吸込口にフィルタ内枠部及びフィルタを当接させることが可能となる。なお、高さ位置調整手段の構成は、特に限定されるものではなく、上述の水平位置調整手段と同様に、複数のボルト孔等及びボルト、ナットとの締結によって調整するものが想定される。
【００２０】
さらに、本発明のフィルタ取付具は、上記構成に加え、「前記フィルタ内枠部の内枠上表面に取設され、前記空気調和装置の前記吸込口の周囲のユニットパネルと前記フィルタ内枠部との間を埋めるスペーサを」具備するものであっても構わない。
【００２１】
したがって、本発明のフィルタ取付具によれば、フィルタ内枠部及びユニットパネルの間を隙間なく埋めるスペーサをさらに具備している。これにより、フィルタ取付具によって支持されたフィルタを通過した空気が吸込口に確実に吸込まれることになる。なお、スペーサとしては、弾性変形可能なゴム或いは発泡性のポリウレタン樹脂等を利用することができる。これにより、フィルタ内枠部を上方のユニットパネルに押付けるようにしてフィルタ取付具を設置することにより、さらに隙間を少なくすることが可能となる。
【発明の効果】
【００２２】
本発明の効果として、フィルタ取付具を使用することにより、既存の空気調和装置に付加価値の高い、高性能の外付けのフィルタを設置することができる。これにより、フィルタの処理能力を向上させることができ、焼肉店等の油分を含む汚染空気であっても処理することができる。そのため、既存設備を交換することがなく、設備コストを大幅に軽減することができる。さらに、空気調和装置の外側に取付けられているため、フィルタの汚れの判別が容易となり、かつフィルタが汚れた場合の交換作業を楽に行うことができる。
【図面の簡単な説明】
【００２３】
【図１】本実施形態のフィルタ取付具の構成を示す平面図である。
【図２】フィルタ取付具及びフィルタを天井に取付けた状態を示す斜視図である。
【図３】フィルタ取付具の構成を示す正面図である。
【図４】フィルタ取付具及びフィルタを天井に取付けた状態を模式的に示す側面図である。
【図５】連結ステー及びフィルタ外枠部の構成を示す拡大斜視図である。
【図６】（ａ）水平位置調整機構、（ｂ）高さ位置調整機構の一例を示す説明図である。
【発明を実施するための形態】
【００２４】
次に、本実施形態のフィルタ取付具１について、図１乃至図６に基づいて説明する。ここで、図１は本実施形態のフィルタ取付具１の構成を示す平面図であり、フィルタ取付具１及びフィルタ２の天井Ｔへの取付状態を示す斜視図であり、図３はフィルタ取付具１の構成を示す正面図であり、図４はフィルタ取付具１及びフィルタ２の天井Ｔへの取付状態を模式的に示す側面図であり、図５は連結ステー３及びフィルタ外枠部４の構成を示す斜視図であり、図６は（ａ）水平位置調整機構５、及び（ｂ）高さ位置調整機構６の一例を示す説明図である。なお、図１及び図２において、フィルタ内枠部８にフィルタ２を保持した状態のフィルタ取付具１を図示している。ここで、本実施形態のフィルタ取付具１は、飲食店の店舗に設置された既設の空気調和装置の室内ユニットＵを構成する天井Ｔに設けられたユニットパネル７の室内空気Ａ１の吸込口１６に相対するようにセラミックス製のフィルタ２を配し、油分等によって汚染された汚染空気（室内空気Ａ１）を吸込んでフィルタ２及び室内ユニットＵの内部に設けられたエアフィルタ（図示しない）によって多段階的に空気浄化処理をするものについて例示する。
【００２５】
ここで、ユニットパネル７は、一般的な室内ユニットＵの構成に含まれるものであり、全体が略正方形状を呈し、中央付近が突出するとともに先端部が截頭された截頭四角錐形状をなして構成されている。そして、ユニットパネル７のそれぞれ四つのパネル辺７ａ（斜辺に相当）に、熱交換処理された冷気（または暖気）を室内に送気するための長手形状の吹出口１５が開口するように設けられ、さらにその吹出口１５で囲まれた中央の平面（截頭平面に相当）には、室内空気Ａ１を吸気するための吸込口１６が設けられている。なお、天井Ｔに設置されたユニットパネル７はプラスチック材料を利用して主に構築され、吹出口１５には吹出方向を調整可能な吹出フィン（図示しない）、吸込口１６には大きな夾雑物の吸込みを防止するためのメッシュ状等の夾雑物除去部等（図示しない）が設けられている。
【００２６】
本実施形態のフィルタ取付具１は、図１乃至図６に示されるように、室内空気Ａ１に含まれる汚染物質を吸着して除去するためのフィルタ２を枠内に保持するフィルタ内枠部８と、フィルタ内枠部８と連結する連結ステー３と、連結ステー３のステー他端部９と接続され、フィルタ取付具１をユニットパネル７に固定するためのフィルタ外枠部４とを主に具備している。
【００２７】
さらに、具体的に説明すると、フィルタ内枠部８は、フィルタ２の外縁部が嵌設し、保持することが可能な四本のステンレス製のフレーム１１を組合わせ、中心にフィルタ２の保持用の空間を有する四角枠形状に形成されている。ここで、フレーム１１によって形成された枠内に金属多孔体によって形成されたフィルタ２が保持される。このとき、フィルタ内枠部８の内枠形状とフィルタ２の外周形状は、略一致するように設計され、フィルタ内枠部８はフィルタ２を隙間なく安定して保持することができるようになっている。ここで、フィルタ２は、多孔性のため、室内空気Ａ１との接触面積が大となり、室内空気Ａ１に含まれる油分等の汚染物質をフィルタ２の内部に吸着させる性質を有している。その結果、フィルタ２を通過した室内空気Ａ１は、上記汚染物質が除去され、浄化された浄化空気Ａ２がフィルタ２の裏面から排出されることになる。そして、浄化空気Ａ２は、室内ユニットＵ内のエアフィルタによって再度浄化処理がなされ、フィルタ２で除去されなかった微細な汚染物質が除去される。
【００２８】
さらに、連結ステー３は、フィルタ内枠部８のコーナーに位置する四箇所の内枠角部１２にステー先端部１３が連結され、フィルタ内枠部８（或いはフィルタ２）の対角方向（対角延長線上）に沿って延設され、ステー他端部９がフィルタ外枠部４に接続されている。ここで、連結ステー３は、ユニットパネル７に設けられた吸込口１６からパネル角部１８に至るまでの距離に略一致する長さとして設計されている（図２等参照）。なお、連結ステー３は、金属製の長片板状部材によって形成され、フィルタ内枠部８と連結されたステー先端部１３及びフィルタ外枠部４の外枠基部１９と接続されたステー他端部９でそれぞれのステー面２０ａ，２０ｂが互いに直交するように、連結ステー３の中央部で９０°の捻り加工が施された捻り補強部２１を有して構成されている。この捻り補強部２１によって、四箇所のフィルタ外枠部４によってユニットパネル７に引っ掛け支持されたフィルタ内枠部８の支持可能重量を増加させることができる。
【００２９】
一方、フィルタ外枠部４は、連結ステー３のステー他端部９と接続され、ユニットパネル７のパネル角部１８の形状に沿ってほぼ９０°曲折された曲片状の外枠基部１９と、外枠基部１９の基部辺縁１９ａからフィルタ内枠部８の側に向かって曲折され、ユニットパネル７のパネル角部１８と天井Ｔとの間の隙間Ｗに挿込まれる挿設片２２を有して構成されている。したがって、四箇所のフィルタ外枠部４の挿設片２２を上記隙間Ｗに挿入することにより、ユニットパネル７のパネル角部１８の裏面に、フィルタ外枠部４及びフィルタ内枠部８等の荷重がかかることになる。このとき、室内ユニットＵの本体に固定されたユニットパネル７は、フィルタ外枠部４等の重力を十分支持することができるように設計されている。
【００３０】
さらに、フィルタ内枠部８の内枠上表面８ａには、吸込口１６の周囲のユニットパネル７のパネル面１７とフィルム内枠部８との間を充填するゴム弾性素材からなるスペーサ２４が設けられている。これにより、フィルタ取付具１をフィルタ外枠部４を介してユニットパネル７に固定し、フィルタ２をユニットパネル７の吸込口１６に密接させようとした場合の空隙の発生を上記スペーサ２４によって阻害することができ、フィルタ２によって浄化された浄化空気Ａ２がユニットパネル７及びフィルタ内枠部８の間から漏出することがない。これにより、浄化空気Ａ２を確実に吸込口１６を介して室内ユニットＵまで送出することができる。
【００３１】
さらに、本実施形態のフィルタ取付具１は、フィルタ内枠部８と連結ステー３のステー先端部１３とを連結する箇所に水平位置調整機構５（水平位置調整手段に相当）が設けられている（図６（ａ）参照）。すなわち、フィルタ内枠部８の内枠角部１２から突出した板状の一対の内枠突部２５に複数の枠孔部（図示しない）が設けられており、一方、ステー先端部１３にも同一形状の第一ステー孔部（図示しない）が設けられている。そして、一対の内枠突部２５の間に連結ステーのステー先端部１３を挿入し、さらに枠孔部及び第一ステー孔部を任意位置で合致させる。そして、合致した孔部にボルト軸を挿通し、ナットによって固定する固定締結具２８で固定する。本実施形態の場合、フィルタ内枠部８と連結ステー３との間の連結には、二つの固定締結具２８を利用している。これにより、フィルタ内枠部８と連結ステー３とが強固に連結される。その結果、合致させる孔部の位置を調整することで、フィルタ外枠部４に対するフィルタ内枠部８の相対的位置関係を任意に設定することができる。これにより、フィルタ内枠部８の取付作業及び交換作業が容易となる。
【００３２】
一方、連結ステー３のステー他端部９とフィルタ外枠部４とを接続する箇所には、高さ位置調整機構６（高さ位置調整手段に相当）が設けられている（図６（ｂ）参照）。すなわち、フィルタ外枠部４の外枠基部１９に上下に長円形状の長円孔部２９が穿設され、一方、ステー他端部９には長円孔部２９の孔幅と一致する第二ステー孔部が設けられている。孔部２９，３０を一致させ、かつ任意の高さ位置でボルト及びナット等の固定締結具３１を利用して連結ステー３及びフィルタ外枠部４を連結する。これにより、フィルタ外枠部４に対する連結ステー３及びこれに連結されたフィルタ内枠部８の鉛直高さ方向の相対的な位置関係を所定の範囲で任意に設定することができる。その結果、フィルタ内枠部８（内枠上表面８ａ）及びユニットパネル７の吸込口周面の間の距離を任意とすることができ、フィルタ内枠部８の密接状態をさらに高めることができる。
【００３３】
次に、本実施形態のフィルタ取付具１の取付例及び使用例について説明する。始めに図１に示すように各部（フィルタ内枠部８、連結ステー３、フィルタ外枠部４）をそれぞれ接続し、フィルタ取付具１を固定する。このとき、水平位置調整機構５及び高さ位置調整機構６による水平方向及び高さ方向は、仮止め位置で固定されている。そして、天井Ｔに配された室内ユニットＵのユニットパネル７のパネル角部１８と天井Ｔとの隙間Ｗに、フィルタ外枠部４の挿設片２２を挿入する（図４二点鎖線拡大図参照）。なお、ユニットパネル７と天井Ｔとの間の隙間Ｗは、室内ユニットＵと天井裏の鉄骨とを固定している固定ボルト（図示しない）を緩めることにより任意の幅に調整することができ、ここでは挿設片２２の厚さに略一致するように設定されている。
【００３４】
そして、隙間Ｗにフィルタ外枠部４が挿入されることにより、フィルタ外枠部４がユニットパネル７に引っ掛けられる。これにより、フィルタ外枠部４は重力に従って下方に向かう力が作用する。このとき、フィルタ外枠部４の挿設片２２の片面２２ａがパネル角部１８の角部裏面１８ａと当接するため、フィルタ外枠部４の落下が規制される。さらに、水平位置調整機構５及び高さ位置調整機構６によってフィルタ外枠部４に対するフィルタ内枠部８の水平方向及び高さ位置方向の調整が図られる。これにより、ユニットパネル７の吸込口周面にスペーサ２４を当接させ、ユニットパネル７の吸込口１６の直下にフィルタ内枠部８のフィルタ２が位置するように形成される。ここで、水平位置調整機構５及び高さ位置調整機構６は、上述した固定締結具２８，３１とボルトの挿込まれる孔部等によって調整され、最終的に強く締結される。
【００３５】
なお、本実施形態のフィルム取付具１の場合、例えば、フィルタ２を含めた総重量が約２．４ｋｇ〜３．２ｋｇのものが想定される。そのため、室内ユニットＵのユニットパネル７で上記荷重を十分に支えることができる。さらに、連結ステー３が中央に捻り補強部２１を有しているため、フィルタ外枠部４及び連結ステー３によるフィルタ内枠部８の支持可能重量をアップさせることができる。
【００３６】
したがって、上記構成により、ユニットパネル７の吸込口１６の直近に外付用のフィルタ２を配置することができ、焼肉店等の油煙を含む汚染された室内空気Ａ１を上記フィルタ２によって吸着除去し、浄化された浄化空気Ａ２を吸込口１６へ導くことができる。このとき、スペーサ２４によってフィルタ２と吸込口１６との間から横方向に浄化空気Ａ２が漏出することがない。さらに、フィルタ内枠部８の対角方向（ユニットパネル７の対角線上に相当）に沿って４本の連結ステー３が配されているため、ユニットパネル７の吹出口１５の吹出を阻害することがない。
【００３７】
加えて、フィルタ２が汚れ、浄化処理性能が低下した場合には、フィルタ取付具１をユニットパネル７から外し、フィルタ内枠部８（またはフィルタ２のみ）を交換することが可能である。すなわち、従来の空気調和装置の室内ユニットのように、ユニットパネル７を取外し、その内部のエアフィルタを交換する作業を要することがなく、外付けのフィルタ２或いはフィルタ内枠部８毎交換することができる。これにより、作業効率が向上する。
【００３８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３９】
すなわち、本実施形態のフィルタ取付具１において、フィルタ内枠部８に保持するフィルタ２として金属多孔体を使用したがこれに限定されるものではなく、除去対象となる汚染物質に応じて任意に設定することができる。そのため、不織布等で構成された不織布フィルタであっても構わない。さらに、連結ステー３をステー先端部１３及びステー他端部９でそれぞれステー面２０ａ，２０ｂを直交させるものを示したがこれに限定されるものではなく、捻り補強部２１を有しない、通常の長片板状の連結ステーを使用するものであっても構わない。すなわち、支持するフィルタ内枠部及びフィルタが比較的軽量な場合、通常の連結ステーであっても十分な吊下強度を有することになる。
【００４０】
さらに、本実施形態のフィルタ取付具１において、既存の空気調和装置のユニットパネル７の内部にエアフィルタを設置し、外付けされたフィルタ２及びエアフィルタの二段階で汚染された室内空気Ａ１の除去を行うものを示したが、これに限定されるものではなく、フィルタ取付具１に取付けられたフィルタ２によって十分な浄化性能を示すことができれば、上記エアフィルタの配設を省略するものであっても構わない。これにより、圧力損失を抑えることができ、室内空気の良好な吸込みが可能となる。さらに、フィルタ取付具１を取付ける空気調和装置１のユニットパネル７として略正方形状を呈するものを示したが、これに限定されるものではなく、例えば、長方形状等の四角形状、或いはその他の多角形状若しくは円形状、楕円形状等の種々の形状のユニットパネルに対応するものであっても構わない。すなわち、本実施形態のフィルタ取付具１を取付けるユニットパネル（及び吸込口）の形状に応じて、フィルタ取付具１の形状を任意に設定することができる。
【符号の説明】
【００４１】
１  フィルタ取付具
２  フィルタ
３  連結ステー
４  フィルタ外枠部
５  水平位置調整機構（水平位置調整手段）
６  高さ位置調整機構（高さ位置調整手段）
７  ユニットパネル
７ａ  パネル辺
８  フィルム内枠部
８ａ  内枠上表面
９  ステー他端部
１２  内枠角部
１３  ステー先端部
１６  吸込口
１９  外枠基部
１９ａ  基部辺縁
２０ａ，２０ｂ  ステー面
２１  捻り補強部
２２  挿設片
２４  スペーサ
Ａ１  室内空気
Ａ２  浄化空気
Ｔ  天井
Ｕ  室内ユニット
Ｗ  隙間
【図１】
2011058647.tif 000003
【図２】
2011058647.tif 000004
【図３】
2011058647.tif 000005
【図４】
2011058647.tif 000006
【図５】
2011058647.tif 000007
【図６】
2011058647.tif 000008